(57)【要約】      （修正有）【課題】尻尾孔の大きさ調整構造を備えることによって、種々の太さの尻尾にピッタリフィットして隙間を生じさせず、糞の漏洩を防止することが可能な尻尾孔調整機構付きペット用おむつを提供する。【解決手段】尻尾孔調整機構付きペット用おむつは、ペット用おむつに設けられた尻尾を貫通させて外部に露出させるための尻尾孔１１００と、尻尾が挿入された状態で尻尾孔の孔径を、挿入された尻尾との隙間から糞が漏出しない程度に調整する調整部を備える。調整部は、尻尾孔の範囲に設けられた係止部材（面ファスナーまたは粘着テープ）からなる。【選択図】図１
0003223382.tif 000002
【実用新案登録請求の範囲】
【請求項１】
ペット用おむつに設けられた尻尾を貫通させて外部に露出させるための尻尾孔と、
尻尾が挿入された状態で前記尻尾孔の孔径を、挿入された尻尾との隙間から糞が漏出しない程度に調整する調整部を備える
ことを特徴とする尻尾孔調整機構付きペット用おむつ。
【請求項２】
請求項１に記載の尻尾孔調整機構付きペット用おむつにおいて、
前記調整部は、前記尻尾孔の周囲に設けられた係止部材である
ことを特徴とする尻尾孔調整機構付きペット用おむつ。
【請求項３】
請求項２に記載の尻尾孔調整機構付きペット用おむつにおいて、
前記係止部材は、面ファスナーまたは粘着テープである
ことを特徴とする尻尾孔調整機構付きペット用おむつ。
【考案の詳細な説明】
【技術分野】
【０００１】
本考案は、尻尾孔調整機構付きペット用おむつに関する。
【背景技術】
【０００２】
従来、犬等のペット用の替えおむつや使い捨て紙おむつは、種々のメーカから発売されるようになってきている。一般的には、このようなペット装着型おむつは、ペットの犬等が尿をしたり糞をする毎に、新たなおむつに交換されることとなる。しかし、おむつ本体は、１個あたり６０  円〜と比較的高価なものであり、また尿や糞といっても犬等の特性上、複数回に分けて少しずつ放出される場合も多い。
【０００３】
ごくわずかな尿等におむつ全てを使い捨て交換することは、昨今の省資源・省エネルギーやエコロジーの観点からも好ましいとはいえない。このような観点から、充分な吸水保持性能を備えた尿用の替えパッドが、既に販売されている。尿用の替えパッドは、おむつの中に挿入して文字どおり犬等の尿を漏らさないように吸水して保持できる機能を有する。しかし、糞に対してはその対応が従来困難であり、量の多少に拘わらずおむつ全交換を与儀無くされていた。仮に、交換タイミングが遅れた場合には、犬等の肛門回りがかぶれたり湿疹が生じる等の好ましからざる事態を生じてしまう懸念もある。
【０００４】
例えば、下記特許文献１には、「糞収容部を取り外すことなく糞の回収を手早く行える上、１つの糞収容部を繰り返し用いることが可能なペット用おむつを提供する技術思想が開示されている。当該文献には、ペットに装着されるおむつ本体１と、上部に開口部を有する容器状の糞収容部１２と、を備え、前記おむつ本体１は、前記ペットの肛門に対応する位置に設けられた貫通孔１１ｃを有し、この貫通孔１１ｃと前記開口部とが連通するように、前記糞収容部１２と連結され、前記糞収容部１２は、互いに着脱可能な複数の持ち手部材１２ｂを有し、前記複数の持ち手部材１２ｂは、互いに連結することで、前記ペットの尻尾を挿通可能な輪状部を形成することを特徴とする」と記載されている。この文献の記載からも、おむつの装着と糞の処理の両立に難儀している飼い主の苦労が伺い知ることができる。
【０００５】
また、下記特許文献２には、ペットのマーキングや排尿による尿漏れを良好に防止し、装着感にも優れたペット用尿漏れ防止ベルトを提供することを目的として、一対の立体ギャザーをペット用尿漏れ防止ベルトの前後辺縁周囲に設け、マーキング等による尿の散乱を効果的に捕捉する技術思想が開示されている。上述したようなペット用おむつは、ペットの後尾から後方等に突出した尻尾があってもペットの体に密着フィットして糞尿を安全確実に受け取ることが可能なように、尻尾を貫通させておむつから外方に露出させるための尻尾孔が設けられている。
【先行技術文献】
【特許文献】
【０００６】
【特許文献１】特開２０１９−１７２５４号公報
【特許文献２】特開２００７−２０５３３号公報
【考案の概要】
【考案が解決しようとする課題】
【０００７】
ペット用おむつそれ自体は、種々のサイズが販売されており、ＳＳＳ，ＳＳ，Ｓ，Ｍ，Ｌという具合に犬の大きさ等に応じて適切なサイズを選択可能に実現されている。これにより、大型犬から小型犬まで体系や大きさに応じて適宜選択し、フィットするおむつを着用させることが可能である。一方、尻尾の太さや長さは犬種によって、また同一犬種でも固体差によって様々に異なるケースがあることが知られている。例えば、いわゆるロンゲのふさふさ尻尾を有する犬と、スキンタイプの毛無し尻尾を有する犬と、では体格が同程度であってもその実効的な尾の太さには大きな違いがある。
【０００８】
このため現在  市販されているペット用おむつは、太い尻尾でも貫通させることが可能なように、やや大きめの尻尾孔が設けられている。ところが、尻尾孔が挿入される尻尾に対して大きすぎると、挿入された尻尾との間に隙間が生じてしまい、そこから糞が漏洩する好ましからざる事態を招来することがある。
【０００９】
本考案は、上述の問題点を解消するために為されたものであり、尻尾孔の大きさ調整構造を備えることによって、種々の太さの尻尾にピッタリフィットして隙間を生じさせず、糞の漏洩を防止することが可能な尻尾孔調整機構付きペット用おむつを実現することを目的とする。
【課題を解決するための手段】
【００１０】
本考案にかかる尻尾孔調整機構付きペット用おむつは、ペット用おむつに設けられた尻尾を貫通させて外部に露出させるための尻尾孔と、尻尾が挿入された状態で尻尾孔の孔径を、挿入された尻尾との隙間から糞が漏出しない程度に調整する調整部を備えることを特徴とする。
【００１１】
本考案にかかる尻尾孔調整機構付きペット用おむつは、好ましくは調整部が、尻尾孔の周囲に設けられた係止部材であることを特徴とする。
【００１２】
本考案にかかる尻尾孔調整機構付きペット用おむつは、好ましくは係止部材が、面ファスナーまたは粘着テープであることを特徴とする。
【考案の効果】
【００１３】
本考案により、尻尾孔の大きさ調整構造を備えることによって、種々の太さの尻尾にピッタリフィットして隙間を生じさせず、糞の漏洩を防止することが可能な尻尾孔調整機構付きペット用おむつを実現できる。
【図面の簡単な説明】
【００１４】
【図１】（ａ）が従来の紙おむつの尻尾孔周辺部位を示す図であり、（ｂ）が本考案の尻尾孔調整機構付きペット用おむつを説明するための図である。
【考案を実施するための形態】
【００１５】
図１（ａ）が従来の紙おむつ１０００の尻尾孔周辺部位を示す図であり、図１（ｂ）が本考案の尻尾孔調整機構付きペット用おむつを説明するための図である。図１（ａ）において、従来  ペットの尻尾をおむつ外部に露出させるように貫通させる尻尾孔１１００が紙おむつ１０００には設けられている。尻尾孔１１００は、種々の太さの尻尾に対応可能なように、かなり大きめに余裕を有するように開口が設けられている。
【００１６】
本考案においては図１（ｂ）に示すように、本考案の紙おむつ１０００（ｂ）の尻尾孔１１００の周囲に、尻尾孔１１００の周囲のおむつ素材を寄集めて隙間を塞ぐことが可能な典型的には一対の調整部を備える。図１（ｂ）においては、調整部の典型例として面ファスナー１２００（１），１２００（２）を尻尾孔１１００の周囲に設けた例について説明している。
【００１７】
図１（ｂ）において、尻尾孔１１００の左側については面ファスナー１２００（１）で隙間を塞ぎ、尻尾孔１１００の右側については面ファスナー１２００（２）で隙間を塞ぐことが可能である。面ファスナー１２００（１）を紙面斜め右上方に、尻尾孔１１００の上方へ適宜引き上げてその位置で係止し、また、面ファスナー１２００（２）を紙面斜め左上方に、尻尾孔１１００の上方へ適宜引き上げてその位置で係止する。これにより、尻尾孔１１００が尻尾の太さに対して大口径な場合でも、尻尾孔１１００と尻尾の間隙を塞ぐことが可能となり、ひいては当該間隙からの糞の漏洩を防止することが可能となる。
【００１８】
本考案にかかる尻尾孔調整機構付きペット用おむつは、ペット用おむつに設けられた尻尾を貫通させて外部に露出させるための尻尾孔と、尻尾が挿入された状態で尻尾孔の孔径を、挿入された尻尾との隙間から糞が漏出しない程度に調整する調整部を備えることを特徴とする。
【００１９】
これにより、犬等のペットにおむつを装着した状態で、尻尾と尻尾孔との間の隙間を狭く調整することが可能であるので、当該隙間から糞が外部に漏出することを防止することができる。犬等の肛門は通常は尻尾の付根直下に位置しており、排便時には肛門を下方に向けて四つん這いの姿勢となる。このため、排便直後においては肛門及び尻尾の付け根付近には糞が密集することとなり、その圧力で周囲に拡散する場合等に隙間から漏出することを防止できる。おむつをしていても仮に糞便の漏出が生じるとその意味を為さないこととなるので、これを確実に防止できることが好ましい。
【００２０】
また、本考案にかかる尻尾孔調整機構付きペット用おむつは、好ましくは調整部が、尻尾孔の左右に設けられた一対の係止部材であることを特徴とする。係止部材を利用することで、紙や布等で形成されたおむつの尻尾付近を適宜に寄せて止めて、尻尾との隙間を塞ぐことが可能となる。係止部材は、公知の任意の態様を適用することができる。例えば、クリップやファスナー、各種ピン、フックやスナップボタン等であっても良い。
【００２１】
また、本考案にかかる尻尾孔調整機構付きペット用おむつは、さらに好ましくは係止部材が、面ファスナーまたは粘着テープであることを特徴とする。これにより、より軽量かつ安価に尻尾孔周辺部の係止を実現することが可能である。尻尾を尻尾孔に挿入した状態で、その周辺部のおむつ外面を、面ファスナー等によって寄せ集めて止めることで尻尾と尻尾孔との間の隙間をなくすように閉めることができる。このような係止手段をおむつに備えるものとすれば、外出先等でのおむつ替えなどの場面でも容易にかつ有効におむつの機能を発揮させるものとできる。また、係止手段を別途に準備したり、都度  おむつと共に別途持参したりする必要が無いので極めて便利である。
【００２２】
本考案に係る紙おむつ１０００（ｂ）は、上述の説明及び図面に示す形状・構造・態様等に限定されるものではなく、本考案の射程の範囲内において、当業者の知り得る適宜公知または周知の手法等を用いて変形しアレンジし、モディファイしてもよいものである。
【符号の説明】
【００２３】
１０００・・紙おむつ、１１００・・尻尾孔、１２００・・面ファスナー。
【図１】
0003223382.tif 000003